(57)【要約】【課題】  ダイエットや健康の為にエアロバイク等の室内用運動器具を購入して運動を始めても長続きしないことが多かった。その原因は健康や美しさといった報酬はなかなか得られないのに、苦しみという罰は即座に与えられることにあります。そこでテレビ・パソコン・携帯電話機等の人に快感をもたらす電気機器の使用が運動に対する報酬になるように使用制限システムを構築します。【解決手段】  運動器具にセンサ・時計・マイコンを組入れ運動の日時や量を計測し、送信器等から送信できるようにします。その情報を電気機器の受信器等で受取り、マイコンと時計を使いメモリに保存してあるユーザーの運動計画と照合し、計画通り運動しなかった場合は電気機器の使用を阻止できるように、使用制限用のスイッチを設置します。これにより、ユーザーが計画通り運動した場合のみ、報酬として電気機器を使用して楽しむことができるようになります。【選択図】    図１
2005342485.tif 000002
【特許請求の範囲】
【請求項１】
運動器具を使って設定した時刻までに運動しなければ、電気機器が使用不能となるように設定できる運動器具と電気機器のセット。
【請求項２】
請求項１に記載の運動器具に運動計測装置を設置する。その中に個人識別番号の入力装置・カレンダー機能付きの時計・使用状態を検知するセンサ・マイコンを設置し、「誰が、いつ、どのくらいの時間、どの程度運動したか」を計測できるようにする。さらにこの情報を電磁波信号やメモリカードによって外部に伝達できるようにする。
請求項１に記載の電気機器の内部には使用制限装置を設置し、その中のマイコンは運動計測装置から送られてきた情報と運動計画を照合する。そのために使用制限装置に入力装置・不揮発性メモリを設置し、運動計画を入力・保存できるようにする。そしてマイコンは時計を使い時間を調べて、計画が順調に遂行されているかチェックし、もしユーザーが計画通りに運動情報を伝達しなかった場合は使用制限用のスイッチをＯＦＦにして、ユーザーの使用を阻止できる。
ただし電気機器に元々設置されている部品で対応できるならそれらを利用するため、使用制限装置内の部品としては上記の諸装置を省くことができる。
以上の仕組みでユーザーが設定した計画通り運動しないと、その使用を阻止できる使用制限機能付きの電気機器と運動器具のセット。
【請求項３】
使用制限装置の不揮発性メモリに日時によって変動する暗証番号を記憶させる。ユーザーが暗証番号を入力装置から入力すると、マイコンは時計でその時の日時を測定し、その時点での正しい暗証番号を調べ、入力された番号が正しいと判断した場合は一定期間あるいは永久に使用制限を解除できるようにする。
以上の仕組みを付け加えた請求項２に記載の電気機器及び運動器具のセット。
【請求項４】
請求項２及び３に記載の使用制限装置を電気機器の外部に独立の機械として製造し、複数の電気機器の電源コードを接続して、それらへの電気供給を一挙に制御できるようにする。このような使用制限装置と請求項２に記載の運動器具のセット。
【発明の詳細な説明】
【発明の詳細な説明】
【技術分野】
【０００１】  本発明は付属の運動器具から運動したという情報を伝達しなければ、一定時間、使用不能になるように設定できる電気機器の使用制限システムに関する。
【背景技術】
【０００２】  従来のテレビ受像機の視聴制限装置は親等が、子供の視聴時間や番組選択を、制限する為にあった。その他の電気機器の使用制限は、健康や使用料金に配慮して、過度の使用を抑える為にあった。また従来の室内用運動器具は、運動を長続きさせる工夫がなかった。そしてこれらは協調することなく、無関係に存在し、使用されていた。
【発明が解決しようとする課題】
【０００３】  ダイエットや健康増進などの目的で運動嫌いの人がエアロバイク等の室内用運動器具を購入して運動を始めても長続きしないことが多かった。その原因は「動機づけ」にあります。運動を始めても健康増進や体重減少といった報酬（正の動機づけ）はすぐには得られないのに、面倒臭さや苦しさといった罰（負の動機づけ）は確実に得られた。しかも運動を休んでも罰はなく、むしろ安楽さという報酬を得てしまっていた。つまりユーザーは運動すると罰せられ、さぼると報酬を得るのであるから、さぼるように強力に動機づけされていたのです。
【課題を解決するための手段】
【０００４】  本発明は運動計画を守れば報酬を与え、守らなければ罰を与えることによって、ユーザーに運動が長続きするように強力に動機づけます。そのために運動器具が運動の量や時刻を記録し、その情報を電気機器に送ることができるようにします。そしてユーザーが計画通り運動すれば報酬として電気機器の使用を許し、しなければ罰として使用を禁止できる仕組みを作ります。
【発明の実施と形態】
【０００５】  この発明は電気機器と付属の運動器具との二つの機械で構成されます。電気機器はテレビ・ＶＴＲ・・パソコン・携帯電話機等、人に楽しみを与え、かつ無くてはならない物に使用制限装置を組入れます。運動器具はエアロバイク等の既存の物に運動計測装置を組入れます。
【０００６】  図１は本発明の実施例における情報処理の流れを示す線図です。最初にユーザーは運動計画を登録しなければなりません。使用制限装置には入力装置が設けられており、これにより運動計画を不揮発性メモリに記録できます。ユーザーはこの運動計画に基づいて付属の運動器具を使用して運動します。運動の質の情報はセンサにより感知され、運動計測装置のマイコンに送られます。さらにマイコンは時計を使って運動の継続時間・終了の日時・量を計測して、その情報を送信器に送ったり、メモリカードに書込みます。運動器具と電気機器が同室内にある場合は送信器からの電磁波信号で、そうでない場合はメモリカードの移動によって、情報を使用制限装置に伝達します。
【０００７】  使用制限装置に伝達された運動情報は使用制限用のマイコンに送られます。マイコンは時計を使いその時点の日時を調べ、さらに不揮発性メモリに記録されている運動計画と照合することによって、使用制限について判断します。もし計画通り運動したという情報が得られなかったら、マイコンは使用制限用のスイッチに向けて司令を発して、それをＯＦＦにします。使用制限用のスイッチと通常の操作スイッチは直列になっているため、この場合ユーザーがスイッチをＯＮにする操作をしても電気機器を作動させることはできません。
【０００８】  病気・急用・売却等、やむをえない理由で使用制限機能を一時的あるいは永久に停止させる場合は、使用制限装置に暗証番号を入力することで可能となります。暗証番号は入力する日時によって変わり、それは製造時に不揮発性メモリに入力しておきます。マイコンが時計を使ってその時の日時を調べ、メモリ内の記録と照合して入力された暗証番号の正誤を判断します。ユーザーは暗証番号をメーカーあるいは販売店に問い合わせて教えてもらいます。
なお、電気機器にはＶＴＲのように受信器（リモコン用）、入力装置・時計・メモリ・マイコン（いずれも予約録画用）等の装置が元々設置されている場合があるので、それらが利用可能なら、それらを使用すればいいので、使用制限装置の部品としては削除することができます。
【０００９】  図２のように電気機器の外部に使用制限装置を設置し、複数の電気機器を接続すると、１台の使用制限装置で複数の電気機器への電気供給をＯＮ・ＯＦＦすることが可能になります。この場合は使用制限装置は分解が困難になるように溶接・封印します。
【発明の効果】
本発明は運動が継続できるように正しく、かつ強力に動機づけるので、大部分の人が計画通り運動を続けられるようになります。また頑固な運動嫌いの人にも本発明は運動させることができます。そのため多くの人々が健康と美しさを手に入れるでしょう。また運動嫌いの子供に運動させて健全な発育を促したり、テレビの視聴時間を抑制することも可能です。
本発明は従来の電気機器や運動器具に、技術的に簡単で安価な部品を付け加えるだけで製造できます。
【図面の簡単な説明】
【図１】情報処理の流れを示す線図です。
【図２】実施例の配線図です。
【図１】
2005342485.tif 000003
【図２】
2005342485.tif 000004